(57)【要約】【課題】音楽コンテンツ切換時におけるエンターテインメント性を高め得るようにする。【解決手段】本発明は、ユーザの選択ダイヤル１１に対するダイヤル操作に応じて、選択コンテンツＳＣを変更すると共に変更後の選択コンテンツＳＣを再生する際、変更前の選択コンテンツＳＣにおける再生経過時間ｔｍを引き継ぎ、変更後の選択コンテンツＳＣを先頭からではなく当該再生経過時間ｔｍから再生することにより、選択コンテンツＳＣを様々な再生経過時間ｔｍから再生してユーザに各選択コンテンツＳＣの様々な部分から聴き始めさせることができる。【選択図】        図１０
2007200374.tif 000002
【特許請求の範囲】
【請求項１】
複数の音楽コンテンツの中から再生すべき任意の音楽コンテンツを選択する選択手段と、
上記任意の音楽コンテンツが選択される直前に再生していた直前音楽コンテンツにおける再生経過状態を認識する認識手段と、
上記選択手段により選択された選択音楽コンテンツを上記再生経過状態に応じた再生位置から再生する再生手段と
を具えることを特徴とする音楽コンテンツ再生装置。
【請求項２】
上記認識手段は、上記直前音楽コンテンツにおける再生経過時間を認識し、
上記再生手段は、上記選択音楽コンテンツを上記再生経過時間に応じた再生位置から再生する
ことを特徴とする請求項１に記載の音楽コンテンツ再生装置。
【請求項３】
上記再生手段は、
上記選択音楽コンテンツの総再生時間が上記直前音楽コンテンツの上記再生経過時間よりも短い場合、当該再生経過時間を当該選択音楽コンテンツの総再生時間で除算したときの余りを新たな再生経過時間とし、当該選択音楽コンテンツを当該新たな再生経過時間に応じた再生位置から再生する
ことを特徴とする請求項２に記載の音楽コンテンツ再生装置。
【請求項４】
上記認識手段は、上記直前音楽コンテンツにおける総再生時間に対する再生経過時間の経過割合を認識し、
上記再生手段は、上記選択音楽コンテンツを上記経過割合に応じた再生位置から再生する
ことを特徴とする請求項１に記載の音楽コンテンツ再生装置。
【請求項５】
上記再生手段は、
上記選択音楽コンテンツにおける上記経過割合に応じた箇所以降の再生時間が所定の閾値以下であった場合、上記選択音楽コンテンツを先頭から再生する
ことを特徴とする請求項４に記載の音楽コンテンツ再生装置。
【請求項６】
複数の音楽コンテンツの中から再生すべき任意の音楽コンテンツを選択する選択ステップと、
上記任意の音楽コンテンツが選択される直前に再生していた直前音楽コンテンツにおける再生経過状態を認識する認識ステップと、
上記選択ステップにより選択された選択音楽コンテンツを上記再生経過状態に応じた再生位置から再生する再生ステップと
を具えることを特徴とする音楽コンテンツ再生方法。
【請求項７】
音楽コンテンツ再生装置に対して、
複数の音楽コンテンツの中から再生すべき任意の音楽コンテンツを選択する選択ステップと、
上記任意の音楽コンテンツが選択される直前に再生していた直前音楽コンテンツにおける再生経過状態を認識する認識ステップと、
上記選択ステップにより選択された選択音楽コンテンツを上記再生経過状態に応じた再生位置から再生する再生ステップと
を実行させることを特徴とする音楽コンテンツ再生プログラム。
【発明の詳細な説明】
【技術分野】
【０００１】
本発明は音楽コンテンツ再生装置、音楽コンテンツ再生方法及び音楽コンテンツ再生プログラムに関し、例えば、例えば大量の音楽コンテンツの中からユーザが所望する音楽コンテンツを検索するためのユーザインタフェースを提供する場合に適用して好適なものである。
【背景技術】
【０００２】
近年、音楽や映像等に関する大量のディジタルコンテンツを大容量のハードディスク等に格納し、又は高速ネットワーク等を介して外部のサーバ等から取得し、ユーザにより指定されたディジタルコンテンツを再生するようになされたコンテンツ再生装置が普及しつつある。
【０００３】
このようなコンテンツ再生装置の中には、コンテンツ（メディア）の種類毎にコンテンツを示すサムネイルを一列ずつ表示することにより、コンテンツを容易に選択し得るようになされたものが提案されている（例えば、特許文献１参照）。
【特許文献１】特開２００４−３５６７７４公報
【発明の開示】
【発明が解決しようとする課題】
【０００４】
ところでかかるコンテンツ再生装置の中には、音楽コンテンツを大量に格納し、再生すべき音楽コンテンツをユーザに選択させる際に、その内容を確認させるために当該ユーザによりカーソルが当てられた音楽コンテンツを試聴用として即座に再生するようになされたものがある。
【０００５】
このようなコンテンツ再生装置では、一般的に、ユーザが聞きたい音楽コンテンツを切り換える度に切り換え後の音楽コンテンツをそれぞれ先頭部分から再生するようになされており、各音楽コンテンツを聴取するユーザに対して単調で面白味に欠ける印象を与えてしまう可能性がある。
【０００６】
この場合、コンテンツ再生装置では、各音楽コンテンツを先頭以外の部分からも再生し得るようにすれば、各音楽コンテンツを聴取するユーザに対して面白味や新鮮味を与えてエンターテインメント性を向上し得ると考えられる。
【０００７】
本発明は以上の点を考慮してなされたもので、音楽コンテンツ切換時におけるエンターテインメント性を高め得る音楽コンテンツ再生装置、音楽コンテンツ再生方法及び音楽コンテンツ再生プログラムを提案しようとするものである。
【課題を解決するための手段】
【０００８】
かかる課題を解決するため本発明においては、複数の音楽コンテンツの中から再生すべき任意の音楽コンテンツを選択し、任意の音楽コンテンツが選択される直前に再生していた直前音楽コンテンツにおける再生経過状態を認識し、選択された選択音楽コンテンツを再生経過状態に応じた再生位置から再生するようにした。
【０００９】
これにより、音楽コンテンツが選択された際、選択音楽コンテンツを先頭から再生するのではなく、選択前に再生していた直前音楽コンテンツにおける再生経過状態を引き継ぎ様々な再生位置から再生することができる。
【発明の効果】
【００１０】
本発明によれば、音楽コンテンツが選択された際、選択音楽コンテンツを先頭から再生するのではなく、選択前に再生していた直前音楽コンテンツにおける再生経過状態を引き継ぎ様々な再生位置から再生することができ、かくして音楽コンテンツ切換時におけるエンターテインメント性を高め得る音楽コンテンツ再生装置、音楽コンテンツ再生方法及び音楽コンテンツ再生プログラムを実現できる。
【発明を実施するための最良の形態】
【００１１】
以下、図面について、本発明の一実施の形態を詳述する。
【００１２】
（１）第１の実施の形態
（１−１）オーディオ装置の全体構成
図１に示すように、１は全体として本発明の第１の実施の形態によるオーディオ装置を示し、筐体２の右側側面２Ａに設けられた挿入口３からＤＶＤ(Digital Versatile Disc)やＣＤ(Compact Disc)等の光ディスク４を装填したり、その挿入口３の下方に設けられた差込口５からメモリースティック（ソニー株式会社の登録商標）等の小型メモリーカード６を差し込むことができるようになされている。
【００１３】
またオーディオ装置１は、正面のフロントパネル７に、液晶ディスプレイ等でなるコンテンツ表示部８、当該コンテンツ表示部８の右隣に設けられた操作ボタン群配置部１０、当該コンテンツ表示部８及び操作ボタン群配置部１０の下方右側に、音楽コンテンツを選択するための選択ダイヤル１１及び当該選択ダイヤル１１と重ねられかつ選択ダイヤル１１よりも一回り大きなズームダイヤル１２が設けられている。
【００１４】
なおオーディオ装置１は、コンテンツ表示部８及び操作ボタン群配置部１０の下方に音楽コンテンツを年代順（時系列）に提示するための液晶ディスプレイ等でなる時間軸バー表示部ＴＢ１及びＴＢ２（後述する）が設けられている。
【００１５】
このオーディオ装置１では、挿入口３から装填された光ディスク４や、差込口５から差し込まれた小型メモリーカード６に格納されている音楽コンテンツを再生し、当該オーディオ装置１に接続されたスピーカ（図示せず）から出力し得ると共に、光ディスク４や小型メモリーカード６に格納されている音楽コンテンツを内蔵のハードディスクドライブに取り込むことができるようになされている。
【００１６】
さらにオーディオ装置１は、ネットワークケーブルを介してインターネットと接続できるようになされており、インターネット上の種々の外部サーバからユーザ所望の音楽コンテンツをダウンロードして内蔵のハードディスクドライブに取り込み得るようにもなされている。
【００１７】
なお操作ボタン群配置部１０には、選択ダイヤル１１によって選択された音楽コンテンツを再生又は一時停止するための再生ボタン９Ａ、音楽コンテンツをスキップ操作するためのスキップボタン９Ｂ、ボリューム調整ボタン９Ｃ、録音ボタン９Ｄ、タイマー設定ボタン９Ｅ、ユーザレーティングボタン９Ｆ、各種モードを切り換えるメニューボタン９Ｇ、各種モード毎に機能が割り当てられる任意ボタン９Ｈ〜９Ｋ及びキャンセルボタン９Ｌが操作ボタン群９として設けられており、オーディオ装置１ではこれら操作ボタン群９に対するユーザ操作に応じた各種処理を実行するようになされている。
【００１８】
（１−２）オーディオ装置の内部構成
（１−２−１）回路構成
図２に示すように、オーディオ装置１は制御部２０により全体を統括制御するようになされている。制御部２０は、ＣＰＵ（Central Processing Unit）２０Ａによりバス２１を介してＲＯＭ（Read Only Memory）２０Ｂから基本プログラムやコンテンツ表示プログラム等の各種プログラムを読み出し、これをＲＡＭ（Random Access Memory）２０Ｃに展開し実行することにより、コンテンツ表示処理等の各種処理を実行する。
【００１９】
実際上、制御部２０は、挿入口３（図１）を介してＤＶＤドライブ２３に装填された光ディスク４（図１）から音楽データをリッピングして例えばＭＰ３(MPEG-1 Audio Layer 3)や、ＡＴＲＡＣ３（Adaptive TRansform Acoustic Coding 3）等の方式でエンコードすることにより音楽コンテンツＭＣを生成し、また差込口５（図１）を介してメモリーカードドライブ２４に差し込まれた小型メモリーカード６からエンコード済みの音楽コンテンツＭＣを直接読み出し、これらの音楽コンテンツＭＣをハードディスクドライブ（ＨＤＤ）２２に格納するようになされている。
【００２０】
また制御部２０は、ネットワークインタフェース２５を介して接続された外部のコンテンツサーバ（図示せず）から音楽コンテンツＭＣを取得し、これをハードディスクドライブ２２に格納し得るようにもなされている。
【００２１】
さらに制御部２０は、インターネットを介して接続された外部のコンテンツサーバ等から当該音楽コンテンツＭＣのジャケット写真でなるサムネイル画像ＳＧと当該音楽コンテンツＭＣの曲名、アーティスト名、発売年月日等でなるメタデータＭＴＤとを取得し、また当該サムネイル画像ＳＧを全体的に縮小し、さらに水平方向に圧縮した状態のコンテンツアイコンＣＡを生成し、これらを当該音楽コンテンツＭＣと対応付けてハードディスクドライブ２２に格納するようになされている。
【００２２】
因みにハードディスクドライブ２２は、例えば数千曲から数万曲といった大量の音楽コンテンツＭＣを格納し得るような記憶容量を有している。
【００２３】
表示部２６のビデオコントローラ２６Ａは、制御部２０からバス２１を介して供給される表示命令を取得し、当該表示命令に応じて音楽コンテンツＭＣに対応したサムネイル画像ＳＧをフロントパネル７のコンテンツ表示部８に複数表示させると共に、コンテンツアイコンＣＡを時間軸バー表示部ＴＢ１及びＴＢ２に表示させ、又は当該表示命令に応じてその表示内容を更新するようになされている。
【００２４】
操作入力部２７は、ユーザにより選択ダイヤル１１が右方向又は左方向へ回転操作されると（以下、この操作を選択操作と呼ぶ）、選択ダイヤル１１内部に設けられたロータリーエンコーダ（図示せず）によりその回転操作量に応じた回転信号ＳＲ１を生成し、これを入力インタフェース２７Ａからバス２１経由で制御部２０へ送出する。
【００２５】
これに応じて制御部２０は、コンテンツ表示部８においてフォーカスを当てるべきサムネイル画像ＳＧを右隣又は左隣のサムネイル画像ＳＧに切り換えることにより音楽コンテンツＭＣの選択先を変更するようになされている（詳しくは後述する）。
【００２６】
また操作入力部２７は、ユーザによりズームダイヤル１２が右方向又は左方向へ回転操作されると（以下、この操作をズーム変更操作と呼ぶ）、ズームダイヤル１２内部に設けられたロータリーエンコーダ（図示せず）によりその回転操作量に応じた回転信号ＳＲ２を生成し、これを入力インタフェース２７Ａからバス２１経由で制御部２０へ送出する。
【００２７】
これに応じて制御部２０は、ハードディスクドライブ２２に格納された音楽コンテンツＭＣに対応する全てのサムネイル画像ＳＧのうちコンテンツ表示部８に表示すべきサムネイル画像ＳＧの抽出基準を変更し、当該コンテンツ表示部８に表示するサムネイル画像ＳＧを更新すると共に、時間軸バー表示部ＴＢ１及びＴＢ２に表示するコンテンツアイコンＣＡの表示パターンを更新するようになされている（詳しくは後述する）。
【００２８】
さらに操作入力部２７は、操作ボタン群９に対する押下操作がなされると、それに応じて押下信号ＳＵを生成し、これを入力インタフェース２７Ａからバス２１経由で制御部２０へ送出する。この場合、制御部２０は、実際に押下された操作ボタン群９（すなわち再生ボタン９Ａ〜キャンセルボタン９Ｌ）に応じた再生処理等の各種処理を実行するようになされている。
【００２９】
制御部２０は、音楽コンテンツＭＣを再生していない状態で操作ボタン群９の再生ボタン９Ａが押下操作されると、フォーカスが当てられた（すなわち選択されている）サムネイル画像ＳＧと対応付けられている音楽コンテンツＭＣをハードディスクドライブ２２から読み出し、これをバス２１経由で音声再生部２８のオーディオコントローラ２９へ送出するようになされている。
【００３０】
オーディオコントローラ２９は、ハードディスクドライブ２２から読み出された音楽コンテンツＭＣをバス２１経由で取得し、当該音楽コンテンツＭＣのエンコード方式に対応したデコード処理やＤ／Ａ（Digital/Analog）変換処理等を行うことにより再生信号ＳＡを生成する。続いてオーディオコントローラ２８は、再生信号ＳＡをアンプ３０により増幅させスピーカ３１へ送出することにより、当該スピーカ３１から当該再生信号に基づいた音を出力させるようになされている。
【００３１】
また制御部２０は、バス２１を介してクロック回路３２から時刻情報を取得することにより現在時刻を取得し得るようになされ、さらにこの現在時刻を複数回取得しその差分を算出することにより、任意の２時点間における経過時間を計測し得るようにもなされている。
【００３２】
このようにオーディオ装置１は、ハードディスクドライブ２２に格納した音楽コンテンツＭＣのサムネイル画像ＳＧをコンテンツ表示部８等に表示すると共に、操作入力部２７による音楽コンテンツＭＣの選択操作やズーム変更操作に応じて当該コンテンツ表示部８等に表示する表示内容を更新し、選択された音楽コンテンツＭＣを再生するようになされている。
【００３３】
（１−２−２）機能構成
ここで、オーディオ装置１におけるサムネイル画像ＳＧの表示に関する機能を分類した機能構成を図３に示す。
【００３４】
ハードディスクドライブ２２は、コンテンツ蓄積部２２Ａに音楽コンテンツＭＣ、その音楽コンテンツＭＣに対応したサムネイル画像ＳＧ及びコンテンツアイコンＣＡを蓄積すると共に、当該音楽コンテンツＭＣに関する曲名、アーティスト名、発売年月日及び年間ランキングの順位等の各種メタデータＭＴＤをコンテンツメタデータ蓄積部２２Ｂに蓄積するようになされている。
【００３５】
実際上ハードディスクドライブ２２は、図４（Ａ）に示すコンテンツデータ管理テーブルＴＢＬ１により、コンテンツ蓄積部２２Ａに蓄積した音楽コンテンツＭＣ、そのサムネイル画像ＳＧ及びコンテンツアイコンＣＡをコンテンツＩＤにより示された所定のコンテンツ名からなるファイル単位で管理するようになされており、また図４（Ｂ）に示すコンテンツメタデータ管理テーブルＴＢＬ２により、コンテンツメタデータ蓄積部２２Ｂに蓄積した各種メタデータＭＴＤをコンテンツＩＤにより示されたコンテンツメタデータ名からなるファイル単位で管理するようになされている。
【００３６】
制御部２０の再生制御部２０Ｄは、ユーザにより操作入力部２７の選択ダイヤル１１を介した選択操作により音楽コンテンツＭＣが選択されると、コンテンツメタデータ管理部２０Ｆを介してハードディスクドライブ２２のコンテンツメタデータ蓄積部２２Ｂから当該選択された音楽コンテンツＭＣのメタデータＭＴＤを取得すると共に、コンテンツ管理部２０Ｅを介してハードディスクドライブ２２のコンテンツ蓄積部２２Ａから当該メタデータＭＴＤにより示されたファイル（すなわち音楽コンテンツＭＣそのもの）を読み出し、これを音声再生部２８へ送出する。
【００３７】
これに応じて音声再生部２８は、音楽コンテンツＭＣに対する復号化処理や増幅処理等を行うことにより当該音楽コンテンツＭＣの音声を復元し、これをユーザに聴取させる。
【００３８】
また制御部２０の再生制御部２０Ｄは、ユーザにより操作入力部２７の選択ダイヤル１１を介した選択操作により音楽コンテンツＭＣが変更されると、表示部２６のコンテンツ表示部８におけるサムネイル画像ＳＧの表示内容を更新した上で、このときの選択操作に応じて、再生中の音楽コンテンツＭＣをそのまま再生し続けるか、或いは変更後の音楽コンテンツＭＣに切り換えて再生するようになされている（詳しくは後述する）。
【００３９】
（１−３）フロントパネル構成
オーディオ装置１においては、内蔵のハードディスクドライブ２２に数千曲から数万曲といった大量の音楽コンテンツＭＣを格納し得るような記憶容量を有しているため、これら大量の音楽コンテンツＭＣの中から曲名やアーティスト名に頼ることなくユーザ所望の音楽コンテンツＭＣを容易に検索し得ることを考慮したフロントパネル７が用いられている。
【００４０】
（１−３−１）全曲表示モード
図５に示すように、オーディオ装置１のフロントパネル７には、音楽コンテンツのジャケット写真等が表されたサムネイル画像ＳＧを複数枚（この場合、５枚）表示するコンテンツ表示部８と、ハードディスクドライブ２２に格納されている全ての音楽コンテンツＭＣにそれぞれ対応したコンテンツアイコンＣＡ１〜ＣＡｎが発売年月日順に並べられる時間軸バー表示部ＴＢ１と、コンテンツ検索操作時に所定の規則に従って優先度の低い音楽コンテンツＭＣを間引いたときの当該間引かれた音楽コンテンツＭＣに対応するコンテンツアイコンＣＡが発売年月日順に並べられる時間軸バー表示部ＴＢ２とが設けられている。
【００４１】
ここで全曲表示モードとは、時間軸バー表示部ＴＢ１に対して全てのコンテンツアイコンＣＡ１〜ＣＡｎが発売年月日順に並べられて表示され、時間軸バー表示部ＴＢ２に対してはコンテンツアイコンＣＡが一切表示されることのない状態をいう。
【００４２】
コンテンツ表示部８は、選択ダイヤル１１に対するユーザのダイヤル操作に応じて現在選択されている音楽コンテンツＭＣにフォーカスを当てたことを、例えば赤色のフォーカス枠ＦＣ１によって音楽コンテンツＭＣのサムネイル画像ＳＧを囲むことにより視覚的に提示し、かつそのフォーカス枠ＦＣ１から上側に導かれた赤色のアンダーラインＵＬ１上に発売年及び曲名（この場合、「１９８１年／秋色」）を表示すると共に、フォーカス枠ＦＣ１から下側に導かれた赤色のアンダーラインＵＬ２下にアーティスト名（この場合「ゆんず」）を表示するようになされている。
【００４３】
これによりオーディオ装置１は、コンテンツ表示部８のフォーカス枠ＦＣ１を介して選択ダイヤル１１により現在選択中の音楽コンテンツＭＣ（以下、これを選択コンテンツＳＣと呼ぶ）の内容を、サムネイル画像ＳＧとアンダーラインＵＬ１上の文字及びＵＬ２下の文字とによって容易に認識させ得るようになされている。
【００４４】
特にオーディオ装置１では、音楽コンテンツＭＣをサムネイル画像ＳＧによるイメージとして提示することができるので、そのイメージを記憶しているユーザにとっては曲名やアーティスト名を記憶していない場合であっても、その音楽コンテンツＭＣが検索対象であるか否かを容易に判別させ得ると共に、このような音楽コンテンツＭＣがあったことをユーザに思い起こさせ、新たに検索対象に含ませ得るようになされている。
【００４５】
また時間軸バー表示部ＴＢ１は、全曲表示モードにおいて、コンテンツアイコンＣＡ１〜ＣＡｎを発売年月日順の時系列に並べて全て表示するようになされており、それに合わせてコンテンツ表示部８はコンテンツアイコンＣＡ１〜ＣＡｎの発売年月日に応じた年度を表す文字列ＴＸ１〜ＴＸ３（この場合、▽１９６８、▽１９８１、▽１９９０）を当該コンテンツ表示部８の下部領域に表示するようになされている。
【００４６】
また時間軸バー表示部ＴＢ１は、コンテンツ表示部８に表示される５枚のサムネイル画像ＳＧに相当する５個のコンテンツアイコンＣＡを例えば赤色のフォーカス枠ＦＣ２によって囲むことにより、フォーカス枠ＦＣ２とコンテンツ表示部８の文字列ＴＸ１〜ＴＸ３とを介して、現在フォーカス枠ＦＣ１によって選択中の音楽コンテンツＭＣが時間軸上のどの辺り（どの年代）に位置するのかをユーザに対して視覚的に提示するようになされている。
【００４７】
特に、図６に示すように時間軸バー表示部ＴＢ１では、フォーカス枠ＦＣ２によって現在、コンテンツ表示部８に表示されている５枚のサムネイル画像ＳＧに相当する５個のコンテンツアイコンＣＡを囲むと共に、その中でも現在フォーカス枠ＦＣ１（図５）によって選択されているサムネイル画像ＳＧに対応するコンテンツアイコンＣＡを赤色のフォーカス枠ＦＣ３によって囲み、かつそのコンテンツアイコンＣＡ全体を黄色に色付けした状態で表示するようになされている。
【００４８】
これによりオーディオ装置１では、コンテンツ表示部８に表示する５枚のサムネイル画像ＳＧによるイメージと、時間軸バー表示部ＴＢ１のフォーカス枠ＦＣ２によって表示する５個のコンテンツアイコンＣＡによるイメージとを一致させることができるので、５枚のサムネイル画像ＳＧに相当する音楽コンテンツＭＣが時間軸バー表示部ＴＢ１の中でどの辺の年代に相当するのかを瞬時かつ直感的に認識させ得るようになされている。
【００４９】
なおオーディオ装置１は、フォーカス枠ＦＣ１によってサムネイル画像ＳＧが選択されたときから選択コンテンツＳＣを再生し、当該選択コンテンツＳＣの音声をユーザに聴取させ得るようになされている。
【００５０】
従ってオーディオ装置１は、音楽コンテンツＭＣのサムネイル画像ＳＧと、発売年月日等の年代と、更には実際の音声をも音楽コンテンツＭＣを検索する際の参考にさせることができるので、曲名及びアーティスト名が解らないユーザに対してもユーザ所望の音楽コンテンツＭＣを検索させ得るようになされている。
【００５１】
（１−３−２）音楽コンテンツの選択表示
また図７に示すようにオーディオ装置１の制御部２０は、ユーザの選択ダイヤル１１に対する最小回転単位のダイヤル操作に応じてコンテンツ表示部８のサムネイル画像ＳＧを１コマ分だけ移動させるようになされている。
【００５２】
このときオーディオ装置１の制御部２０は、選択ダイヤル１１の回転方向に応じてコンテンツ表示部８に表示しているサムネイル画像ＳＧを徐々に右方向又は左方向へ移動させながら更新するアニメーション表示を行うことにより、当該サムネイル画像ＳＧをスクロールさせるようになされている（詳しくは後述する）。
【００５３】
これによりオーディオ装置１の制御部２０は、コンテンツ表示部８のフォーカス枠ＦＣ１によって選択されるサムネイル画像ＳＧを１コマ分だけずらして表示すると共に、それに合わせて時間軸バー表示部ＦＣ２によって囲まれる５個のコンテンツアイコンＣＡについても１個分だけずらして表示するようになされている。
【００５４】
このときもオーディオ装置１の制御部２０は、フォーカス枠ＦＣ１によって選択されたサムネイル画像ＳＧに対応する音楽コンテンツＭＣ（すなわち選択コンテンツＳＣ）の発売年月日及び曲名（この場合「１９８０年／こんにちは夏の日」）をアンダーラインＵＬ１上に表示すると共に、アーティスト名（この場合「山上達弘」）をアンダーラインＵＬ２下に表示するようになされている。
【００５５】
なおオーディオ装置１の制御部２０は、ユーザの選択ダイヤル１１に対するダイヤル操作により選択コンテンツＳＣが変更されると、変更後の選択コンテンツＳＣを再生し、当該選択コンテンツＳＣの音声をユーザに聴取させ得るようになされている（詳しくは後述する）。
【００５６】
従ってオーディオ装置１の制御部２０は、ユーザの選択ダイヤル１１に対するダイヤル操作に応じた選択コンテンツＳＣの音声を出力することができるので、所望の音楽コンテンツＭＣを検索させる際の重要な要素として音楽コンテンツＭＣの音声を提供し得るようになされている。
【００５７】
（１−４）再生する音楽コンテンツの変更
次に、オーディオ装置１の制御部２０がユーザの選択ダイヤル１１に対するダイヤル操作により、選択コンテンツＳＣを変更する際に再生する音楽コンテンツＭＣについて説明する。
【００５８】
なお、説明の都合上、オーディオ装置１の制御部２０は、全ての音楽コンテンツＭＣを発売年月日順となるコンテンツＡ〜コンテンツＺ（図示せず）の順に整列された状態で認識しているものとし、また予めフォーカス枠ＦＣ１によってコンテンツＡのサムネイル画像ＳＧが選択され、当該コンテンツＡの音声を再生しているものとする。
【００５９】
（１−４−１）１回のコンテンツの変更
まず、オーディオ装置１の制御部２０が、ユーザの選択ダイヤル１１に対するダイヤル操作により、フォーカス枠ＦＣ１によって選択されるサムネイル画像ＳＧをコンテンツＡからコンテンツＢに変更する場合を想定する。
【００６０】
図８（Ａ）に示すように、オーディオ装置１の制御部２０は、時刻ｔ１においてユーザの選択ダイヤル１１に対するダイヤル操作を受け付けた場合、コンテンツ表示部８に表示しているサムネイル画像ＳＧをスクロールすることにより、選択コンテンツＳＣをコンテンツＡからコンテンツＢに変更する。
【００６１】
このときオーディオ装置１の制御部２０は、図８（Ｂ）に示すように、直ちにコンテンツＢの再生を開始するのでは無く、時刻ｔ１から待機時間ｔｗだけ経過するまでコンテンツＡを再生し続ける（この理由については後述する）。
【００６２】
その後オーディオ装置１の制御部２０は、時刻ｔ１から待機時間ｔｗが経過した時刻ｔ２において、コンテンツＡの再生を停止すると共にコンテンツＢの再生を開始する。
【００６３】
このようにオーディオ装置１の制御部２０は、ユーザにより選択ダイヤル１１に対するダイヤル操作を受け付けた場合、選択コンテンツＳＣを変更した後に待機時刻ｔｍだけ経過してから変更後における選択コンテンツＳＣの再生を開始するようになされている。
【００６４】
（１−４−２）連続したコンテンツの変更（低速変更時）
次に、オーディオ装置１の制御部２０が、ユーザの選択ダイヤル１１に対する比較的ゆっくりとしたダイヤル操作により、選択コンテンツＳＣをコンテンツＡからコンテンツＢ、コンテンツＣ、コンテンツＤへと順次変更していく場合を想定する。
【００６５】
図８（Ａ）と対応する図９（Ａ）に示すように、オーディオ装置１の制御部２０は、時刻ｔ１１においてユーザの選択ダイヤル１１に対する１回目のダイヤル操作を受け付けると、選択コンテンツＳＣをコンテンツＡからコンテンツＢに変更する。
【００６６】
その後オーディオ装置１の制御部２０は、図９（Ｂ）に示すように、時刻ｔ１１から待機時間ｔｗだけ経過した時刻ｔ１２において、コンテンツＡの再生を停止すると共にコンテンツＢの再生を開始する。
【００６７】
次にオーディオ装置１の制御部２０は、時刻ｔ１１から待機時間ｔｗ以上の時間Δｔ１だけ経過した時刻ｔ１３においてユーザの選択ダイヤル１１に対する２回目のダイヤル操作を受け付けると（図９（Ａ））、選択コンテンツＳＣをコンテンツＢからコンテンツＣに変更する。
【００６８】
その後オーディオ装置１の制御部２０は、時刻ｔ１３から待機時間ｔｗだけ経過した時刻ｔ１４において、コンテンツＢの再生を停止すると共にコンテンツＣの再生を開始する（図９（Ｂ））。
【００６９】
同様にオーディオ装置１の制御部２０は、時刻ｔ１３から待機時間ｔｗ以上の時間Δｔ２だけ経過した時刻ｔ１５においてユーザの選択ダイヤル１１に対する３回目のダイヤル操作を受け付けると（図９（Ａ））、選択コンテンツＳＣをコンテンツＣからコンテンツＤに変更する。
【００７０】
その後オーディオ装置１の制御部２０は、時刻ｔ１５から待機時間ｔｗだけ経過した時刻ｔ１６において、コンテンツＣの再生を停止すると共にコンテンツＤの再生を開始する（図９（Ｂ））。
【００７１】
このようにオーディオ装置１の制御部２０は、ユーザの選択ダイヤル１１に対する複数回に渡るダイヤル操作の間隔がそれぞれ待機時間ｔｗ以上である、すなわち当該ダイヤル操作が比較的低速であった場合、フォーカス枠ＦＣ１によって選択されたサムネイル画像ＳＧに追従するように選択コンテンツＳＣを順次再生していくようになされている（以下、これを低速変更モードと呼ぶ）。
【００７２】
（１−４−３）連続したコンテンツの変更（高速変更時）
次に、オーディオ装置１の制御部２０が、ユーザの選択ダイヤル１１に対する比較的素早いダイヤル操作により、フォーカス枠ＦＣ１によって選択されるサムネイル画像ＳＧをコンテンツＡからコンテンツＢ、コンテンツＣ、コンテンツＤへと順次変更していく場合を想定する。
【００７３】
図８（Ａ）及び図９（Ａ）と対応する図１０（Ａ）に示すように、オーディオ装置１の制御部２０は、時刻ｔ２１においてユーザの選択ダイヤル１１に対する１回目のダイヤル操作を受け付けると、選択コンテンツＳＣをコンテンツＡからコンテンツＢに変更する。
【００７４】
ここでオーディオ装置１の制御部２０は、時刻ｔ２１から待機時間ｔｗ未満の時間Δｔ３だけ経過した時刻ｔ２２においてユーザの選択ダイヤル１１に対する２回目のダイヤル操作を受け付けたとする（図１０（Ａ））。
【００７５】
このときオーディオ装置１の制御部２０は、選択コンテンツＳＣをコンテンツＢからコンテンツＣに変更するものの、時刻ｔ２１から待機時間ｔｗ未満のタイミング（時刻ｔ２２）で次のダイヤル操作を受け付けたことにより、ユーザが連続的なダイヤル操作を行っている最中でありコンテンツＢの音声を聴取する意思が無いものと認識する。
【００７６】
さらにオーディオ装置１の制御部２０は、仮にコンテンツＢを再生した場合、当該コンテンツＢの再生時間が待機時間ｔｗ未満となる、すなわち極めて短くなることによりユーザにとって雑音のように聞こえてしまう可能性があるため、時刻ｔ２１から待機時間ｔｗが経過した後も再生中のコンテンツＡをそのまま再生し続ける（図１０（Ｂ））。
【００７７】
続いてオーディオ装置１の制御部２０は、時刻ｔ２２から待機時間ｔｗ未満の時間Δｔ４だけ経過した時刻ｔ２３においてユーザの選択ダイヤル１１に対する３回目のダイヤル操作を受け付けたとする（図１０（Ａ））。
【００７８】
このときオーディオ装置１の制御部２０は、選択コンテンツＳＣをコンテンツＣからコンテンツＤに変更するものの、時刻ｔ２２から待機時間ｔｗ未満のタイミング（時刻ｔ２３）で次のダイヤル操作を受け付けたことにより、引き続き連続的なダイヤル操作がなされている最中であると認識すると共にコンテンツＣを極めて短い時間だけ再生するべきでは無いと判定し、時刻ｔ２２から待機時間ｔｗが経過した後も再生中のコンテンツＡをそのまま再生し続ける（図１０（Ｂ））。
【００７９】
その後オーディオ装置１の制御部２０は、時刻ｔ２３から待機時間ｔｗの間に新たなダイヤル操作を受け付けなかった場合（図１０（Ａ））、当該時刻ｔ２３から待機時間ｔｗが経過した時刻ｔ２４において連続的なダイヤル操作が終了したものと認識し、コンテンツＡの再生を停止してコンテンツＤの再生を開始する（図１０（Ｂ））。
【００８０】
この場合、オーディオ装置１の制御部２０は、コンテンツＢ及びコンテンツＣに関しては、ユーザによる選択ダイヤル１１に対するダイヤル操作の間隔が短かったこと、すなわち当該ダイヤル操作が素早く行われたため、当該ユーザがコンテンツＢ及びコンテンツＣを聴く意思を持っておらず、当該コンテンツＢ及びコンテンツＣを飛ばしてコンテンツＤを再生させたいという意思を表したものと認識し、当該コンテンツＢ及び当該コンテンツＣを再生せずコンテンツＡの次にコンテンツＤを再生するようになされている。
【００８１】
このようにオーディオ装置１の制御部２０は、ユーザの選択ダイヤル１１に対する複数回に渡るダイヤル操作毎の間隔が待機時間ｔｗ未満である、すなわち当該ダイヤル操作が比較的高速であった場合、ダイヤル操作中にはダイヤル操作前の選択コンテンツＳＣを再生し続け、当該ダイヤル操作の終了後、当該ダイヤル操作前の選択コンテンツＳＣの再生を停止すると共に最終的に選択された選択コンテンツＳＣを再生するようになされている（以下、これを高速変更モードと呼ぶ）。
【００８２】
因みにオーディオ装置１の制御部２０は、ユーザの選択ダイヤル１１に対するダイヤル操作を受け付けてから待機時間ｔｗだけ待機することにより、当該ダイヤル操作が比較的ゆっくりであるか、或いは比較的素早いかを判断することができ、この判断結果に応じて高速変更モード又は低速変更モードのいずれに遷移するかを決定することができる。
【００８３】
（１−４−４）選択コンテンツ変更処理手順
次に、オーディオ装置１の制御部２０がユーザの選択ダイヤル１１に対するダイヤル操作により選択コンテンツを変更する際の選択コンテンツ変更処理手順ＲＴ１について、図１１のフローチャートを用いて説明する。
【００８４】
実際上、制御部２０は、電源が投入されると選択コンテンツ変更処理手順ＲＴ１を開始し、ステップＳＰ１へ移る。ステップＳＰ１において制御部２０は、クロック回路３２から時刻情報を取得し、直前にダイヤル操作がなされた時刻である直前回転時刻ｔａの初期値として当該時刻情報が示す時刻を設定した後、次のステップＳＰ２へ移る。
【００８５】
ステップＳＰ２において制御部２０は、ユーザの選択ダイヤル１１に対するダイヤル操作に応じて、操作入力部２７の入力インタフェース２７Ａから送出された回転信号ＳＲ１を取得し、次のステップＳＰ３へ移る。
【００８６】
ステップＳＰ３において制御部２０は、クロック回路３２から時刻情報を取得してこれを現在時刻ｔｐとし、当該現在時刻ｔｐと直前回転時刻ｔａとを比較し、次のステップＳＰ４へ移る。
【００８７】
ステップＳＰ４において制御部２０は、差分値（ｔｐ−ｔａ）が待機時間ｔｗ以上であるか否かを判定する。ここで肯定結果が得られると、このことはユーザのダイヤル操作が比較的低速であったために、低速変更モードに移行して変更後の選択コンテンツを再生すべきであることを表しており、このとき制御部２０は、次のステップＳＰ５へ移る。
【００８８】
ステップＳＰ５において制御部２０は、表示部８に表示させているサムネイル画像ＳＧを選択ダイヤルの回転方向に応じた方向へ１枚分スクロールさせ、次の選択コンテンツ再生処理手順ＳＲＴ１に従い選択コンテンツを再生し（詳しくは後述する）、ステップＳＰ７へ移る。
【００８９】
一方ステップＳＰ４において否定結果が得られると、このことはユーザのダイヤル操作が比較的高速であったために、高速変更モードに移行して現在再生中の音楽コンテンツＳＣを継続して再生すべきであることを表しており、このとき制御部２０は、次のステップＳＰ６へ移る。
【００９０】
ステップＳＰ６において制御部２０は、ステップＳＰ５のときと同様に表示部８に表示させているサムネイル画像ＳＧを選択ダイヤルの回転方向に応じた方向へ１枚分スクロールさせるものの、再生中の音楽コンテンツＳＣを変更することなく、次のステップＳＰ７へ移る。
【００９１】
ステップＳＰ７において制御部２０は、次回のダイヤル操作時に用いるために直前回転時刻ｔａを現在時刻ｔｐに更新し、再度ステップＳＰ２へ戻って一連の処理を繰り返す。
【００９２】
（１−５）コンテンツの再生
（１−５−１）コンテンツ再生の基本原理
ところでオーディオ装置１の制御部２０は、ユーザの選択ダイヤル１１に対するダイヤル操作に応じて選択コンテンツＳＣが変更された場合、ダイヤル操作の終了後に、それまで再生していた音楽コンテンツＭＣ（すなわち以前の選択コンテンツＳＣ）の再生を停止すると共に変更後の選択コンテンツＳＣの再生を開始するようになされている。
【００９３】
このときオーディオ装置１の制御部２０は、変更後の選択コンテンツＳＣを毎回先頭部分から再生するのではなく、変更前の選択コンテンツＳＣにおける再生経過時間（すなわち再生位置）を引き継ぐようになされている。
【００９４】
例えばオーディオ装置１の制御部２０は、図９（Ａ）及び（Ｂ）に示したようにユーザによるダイヤル操作が比較的低速であった場合、図９（Ｃ）に示すように、時刻ｔ１０においてコンテンツＡを再生経過時間ｔｍ１０から再生する。
【００９５】
続いてオーディオ装置１の制御部２０は、選択コンテンツＳＣが変更されたことにより、時刻ｔ１２においてコンテンツＡを再生経過時間ｔｍ１１で停止すると共に（図９（Ｃ））コンテンツＢを再生経過時間ｔｍ１１から再生する（図９（Ｄ））。
【００９６】
同様にオーディオ装置１の制御部２０は、選択コンテンツＳＣが変更されたことにより、時刻ｔ１４においてコンテンツＢを再生経過時間ｔｍ１２で停止すると共に（図９（Ｄ））コンテンツＣを再生経過時間ｔｍ１２から再生し（図９（Ｅ））、さらに選択コンテンツＳＣが変更されたことにより、時刻ｔ１４においてコンテンツＣを再生経過時間ｔｍ１３で停止すると共に（図９（Ｅ））コンテンツＤを再生経過時間ｔｍ１３から再生する（図９（Ｆ））。
【００９７】
この結果、オーディオ装置１の制御部２０は、図９（Ｇ）に示すように、コンテンツＡのうち再生経過時間ｔｍ１０から再生経過時間ｔｍ１１の部分、コンテンツＢのうち再生経過時間ｔｍ１１から再生経過時間ｔｍ１２の部分、コンテンツＣのうち再生経過時間ｔｍ１２から再生経過時間ｔｍ１３の部分、及びコンテンツＤのうち再生経過時間ｔｍ１３以降の部分を順次再生するといった具合に、再生経過時間を順次引き継ぎながら、再生するコンテンツを変更する。
【００９８】
またオーディオ装置１の制御部２０は、図１０（Ａ）及び（Ｂ）に示したようにユーザによるダイヤル操作が比較的高速であった場合にも、図１０（Ｃ）に示すように時刻ｔ２０においてコンテンツＡを再生経過時間ｔｍ２０から再生し、選択コンテンツＳＣが連続的に変更されたことにより、時刻ｔ２４においてコンテンツＡを再生経過時間ｔｍ２１で停止すると共に（図１０（Ｃ））コンテンツＤを再生経過時間ｔｍ２１から再生する（図１０（Ｄ））。
【００９９】
すなわちオーディオ装置１の制御部２０は、ダイヤル操作が比較的高速であった場合にも、図１０（Ｅ）に示すように、コンテンツＡのうち再生経過時間ｔｍ２０から再生経過時間ｔｍ２１の部分及びコンテンツＤのうち再生経過時間ｔｍ２１以降の部分を順次再生するといった具合に、再生経過時間を順次引き継ぎながら、再生するコンテンツを変更する。
【０１００】
これによりオーディオ装置１の制御部２０は、選択コンテンツＳＣが変更される度に各選択コンテンツＳＣの様々な部分から再生を開始することができるので、ユーザに各選択コンテンツＳＣの様々な部分から聴き始めさせることができ、例えば選択コンテンツＳＣを変更する度に毎回先頭部分から再生する場合と比較して、新鮮味や面白味を感じさせることを期待できる。
【０１０１】
因みにオーディオ装置１の制御部２０は、更新後の選択コンテンツＳＣの総演奏時間Ｔｓが再生経過時間ｔｍよりも短かった場合、総再生時間Ｔｓを再生経過時間ｔｍにより除算した際の余りを新たな再生経過時間ｔｍとすることにより、選択コンテンツＳＣの総再生時間Ｔｓの長短に拘わらず様々な部分から再生し得るようになされている。
【０１０２】
このようにオーディオ装置１の制御部２０は、ユーザの選択ダイヤル１１に対するダイヤル操作に応じて選択コンテンツＳＣが変更された場合、それまで再生していた変更前の音楽コンテンツＭＣにおける再生経過時間を引き継ぎ、変更後の選択コンテンツＳＣを変更前の選択コンテンツＳＣと同一の再生位置から再生するようになされている。
【０１０３】
（１−５−２）コンテンツ再生処理手順
次に、オーディオ装置１の制御部２０が新たな選択コンテンツＳＣを再生する際の選択コンテンツ再生処理手順ＳＲＴ１について、図１２のフローチャートを用いて説明する。
【０１０４】
実際上、制御部２０は、選択コンテンツ変更処理手順ＲＴ１（図１１）の実行中にサブルーチンとして選択コンテンツ再生処理手順ＳＲＴ１を開始し、ステップＳＰ１１へ移る。ステップＳＰ１１において制御部２０は、現在再生中の（すなわち直前の選択コンテンツＳＣの）再生経過時間ｔｍを記憶し、次のステップＳＰ１２へ移る。
【０１０５】
ステップＳＰ１２において制御部２０は、新たな選択コンテンツＳＣの総再生時間Ｔｓと再生経過時間ｔｍとを比較し、次のステップＳＰ１３へ移る。
【０１０６】
ステップＳＰ１３において制御部２０は、総再生時間Ｔｓが再生経過時間ｔｍよりも長いか否かを判定する。ここで肯定結果が得られると、このことは変更後の選択コンテンツＳＣを再生経過時間ｔｍから再生し得ることを表しており、このとき制御部２０は次のステップＳＰ１５へ移る。
【０１０７】
一方ステップＳＰ１３において否定結果が得られると、このことは総再生時間Ｔｓが再生経過時間ｔｍよりも短く、変更後の選択コンテンツＳＣを再生経過時間ｔｍから再生し得ないことを表しており、このとき制御部２０は次のステップＳＰ１４へ移る。
【０１０８】
ステップＳＰ１４において制御部２０は、再生経過時間ｔｍを選択コンテンツＳＣにより除算した際の余り（すなわち剰余）を新たな再生経過時間ｔｍとし、次のステップＳＰ１５へ移る。
【０１０９】
ステップＳＰ１５において制御部２０は、変更後の選択コンテンツＳＣを再生経過時間ｔｍから再生し、次のステップＳＰ１６へ移ってこのコンテンツ再生処理手順ＳＲＴ１を終了し、元の選択コンテンツ変更処理手順ＲＴ１（図１１）へ戻る。
【０１１０】
（１−６）コンテンツの再生切換
ところでオーディオ装置１の制御部２０は、ユーザの選択ダイヤル１１に対するダイヤル操作に応じてフォーカス枠ＦＣ１によって選択されるサムネイル画像ＳＧが変更される場合、上述したように、選択ダイヤル１１の回転方向に応じてコンテンツ表示部８に表示しているサムネイル画像ＳＧを右方向又は左方向へスクロールさせるようになされている。
【０１１１】
例えばオーディオ装置１の制御部２０は、図１３（Ａ）に示すようにコンテンツ表示部８においてフォーカス枠ＦＣ１によりコンテンツＡのサムネイル画像ＳＧＡが囲まれた状態、すなわち選択コンテンツＳＣがコンテンツＡである状態において、ユーザにより選択ダイヤル１１に対して最小回転単位の（すなわちサムネイル画像ＳＧ１コマ分の）右回転のダイヤル操作を受け付けたとする。
【０１１２】
オーディオ装置１の制御部２０は、このダイヤル操作に応じて、図１３（Ｂ）〜（Ｄ）に示すようにコンテンツ表示部８に表示しているフォーカス枠ＦＣ１の位置を固定したまま、サムネイル画像ＳＧ（ＳＧＹ、ＳＧＺ、ＳＧＡ、ＳＧＢ及びＳＧＣ）を徐々に左方向へスクロールさせていき、図１３（Ｅ）に示すように、サムネイル画像ＳＧ１コマ分だけ左へ移動してフォーカス枠ＦＣ１によりコンテンツＢのサムネイル画像ＳＧＢが囲まれた状態でスクロールを停止する。
【０１１３】
このときオーディオ装置１の制御部２０は、ダイヤル操作に応じて選択コンテンツＳＣを変更すると共に変更後の選択コンテンツＳＣを再生するようになされているが、このとき変更前の選択コンテンツＳＣの音量を徐々に減少（いわゆるフェードアウト）させると共に、変更後の選択コンテンツＳＣの音量を徐々に増加（いわゆるフェードイン）させるようになされている。
【０１１４】
具体的にオーディオ装置１の制御部２０は、図１４（Ａ）及び（Ｂ）に示すように、左右両チャンネルにおいてコンテンツＡの再生音量レベルを通常の再生音量レベルから０レベルまで徐々に減少させるフェードアウトを行うと共に、コンテンツＢの再生音量レベルを０レベルから通常の再生音量レベルまで徐々に増加させるフェードインを行う。
【０１１５】
そのうえオーディオ装置１の制御部２０は、左チャンネル及び右チャンネルの音量を独立して制御することにより左右のチャンネル間でフェードアウト及びフェードインを行うタイミングを互いにずらしており、右チャンネルの再生音量レベルが左チャンネルの再生音量レベルよりもタイミング差ｔｓだけ早く変化するようになされている。
【０１１６】
すなわちオーディオ装置１の制御部２０は、図１４（Ａ）及び（Ｂ）に示した時刻ｔ３１において、図１５（Ａ）に示すように左チャンネル及び右チャンネルにおけるコンテンツＡの再生音量レベルをほぼ等しくしているため、図１５（Ｂ）に示すように、ユーザに対してコンテンツＡの音像がほぼ中央に定位しているような感覚を与える。
【０１１７】
時刻ｔ３２においてオーディオ装置１の制御部２０は、図１６（Ａ）に示すように右チャンネルの再生音量レベルを左チャンネルの再生音量レベルよりも減少させるため、図１６（Ｂ）に示すように、ユーザに対してコンテンツＡの音像がやや左側に寄って定位しているような感覚を与える。
【０１１８】
その後オーディオ装置１の制御部２０は、時刻ｔ３３付近において、左チャンネルにおけるコンテンツＡの再生音量レベルを通常の音量レベルから徐々に減少させていくと共に、右チャンネルにおけるコンテンツＡの再生音量レベルを０レベルまで減少させ、さらにコンテンツＢの再生音量レベルを０レベルから徐々に増加させる。
【０１１９】
時刻ｔ３４においてオーディオ装置１の制御部２０は、図１７（Ａ）に示すように左チャンネルにおいてコンテンツＡの音声を中程度の再生音量レベルで出力すると共に、右チャンネルにおいてコンテンツＢの音声を中程度の再生音量レベルで出力することにより、図１６（Ｂ）に示すように、ユーザに対してコンテンツＡの音像が左側に寄ると共にコンテンツＢの音像が右側に寄って定位しているような感覚を与える。
【０１２０】
さらにオーディオ装置１の制御部２０は、時刻ｔ３５付近において、左チャンネルにおけるコンテンツＡの再生音量レベルを０レベルまで減少させてコンテンツＢの再生音量レベルを０レベルから徐々に増加させていくと共に、右チャンネルにおけるコンテンツＢの再生音量レベルを通常の音量レベルへ徐々に増加させていく。
【０１２１】
時刻ｔ３６においてオーディオ装置１の制御部２０は、図１８（Ａ）に示すように左チャンネルにおいてコンテンツＢの音声を中程度の再生音量レベルで出力すると共に、右チャンネルからコンテンツＢの音声を通常の再生音量レベルで出力することにより、図１８（Ｂ）に示すように、ユーザに対してコンテンツＢの音像がやや右側に寄って定位しているような感覚を与える。
【０１２２】
時刻ｔ３７においてオーディオ装置１の制御部２０は、図１９（Ａ）に示すように左チャンネル及び右チャンネルにおけるコンテンツＢの再生音量レベルをほぼ等しくするため、図１９（Ｂ）に示すように、ユーザに対してコンテンツＢの音像がほぼ中央に定位しているような感覚を与える。
【０１２３】
この結果、オーディオ装置１の制御部２０は、図１４（Ａ）及び（Ｂ）に示したように、サムネイル画像ＳＧがスクロールにより流れていくときの上流側（この場合は右側）の音量レベルがタイミング差ｔｓだけ先に変化するよう左右各チャンネルの音量レベルを独立して制御することにより、図１５（Ｂ）〜図１９（Ｂ）に示したように、コンテンツＡの音声をフェードアウトさせながらその音像を中央から徐々に左へ移動させると共に、コンテンツＢの音声をフェードインさせながらその音像を右から中央へ徐々に移動させるような感覚をユーザに与えることができる。
【０１２４】
これによりオーディオ装置１の制御部２０は、ユーザの選択ダイヤル１１に対する右回転のダイヤル操作に応じてフォーカス枠ＦＣ１に囲まれるサムネイル画像ＳＧを変更する際に、変更前の選択コンテンツＳＣを表すサムネイル画像ＳＧ（例えばサムネイル画像ＳＧＡ）が当該フォーカス枠ＦＣ１の中から左側へ抜け出て行くと共に変更後の選択コンテンツＳＣを表すサムネイル画像ＳＧ（例えばサムネイル画像ＳＧＢ）が右側から当該フォーカス枠ＦＣ１の中へ入って来ることに連動しているかのように、変更前後の選択コンテンツＳＣの音像もそれぞれ右側から左側へ流れていくような印象をユーザに与えることができる。
【０１２５】
因みにオーディオ装置１の制御部２０は、ユーザの選択ダイヤル１１に対する左回転のダイヤル操作を受け付けた場合には、サムネイル画像ＳＧを左側から右側へスクロールさせると共に、上述した図１４〜図１９と左右対称に音量レベルを制御することにより、変更前後の選択コンテンツＳＣの音像をそれぞれ左側から右側へ流れていくような印象をユーザに与えるようになされている。
【０１２６】
このようにオーディオ装置１の制御部２０は、ユーザの選択ダイヤル１１に対するダイヤル操作に応じてコンテンツ表示部８に表示しているサムネイル画像ＳＧを右方向又は左方向へスクロールさせると共に、左右両チャンネルにおけるフェードアウト及びフェードインのタイミングをタイミング差ｔｓだけずらすようにそれぞれの音量レベルを制御することにより、変更前後の選択コンテンツＳＣの音像がサムネイル画像ＳＧと連動して右方向又は左方向へ移動するような印象をユーザに与え得るようになされている。
【０１２７】
（１−７）動作及び効果
以上の構成において、第１の実施の形態によるオーディオ装置１の制御部２０は、ユーザの選択ダイヤル１１に対するダイヤル操作に応じて、選択コンテンツＳＣを変更すると共に変更後の選択コンテンツＳＣを再生する。
【０１２８】
このときオーディオ装置１の制御部２０は、変更前の選択コンテンツＳＣにおける再生経過時間ｔｍを引き継ぎ、変更後の選択コンテンツＳＣを先頭からではなく当該再生経過時間ｔｍから再生する。
【０１２９】
従ってオーディオ装置１の制御部２０は、選択コンテンツＳＣを様々な再生経過時間ｔｍから再生することができるため、ユーザに各選択コンテンツＳＣの様々な部分から聴き始めさせることができ、各選択コンテンツＳＣを毎回先頭部分から再生する場合と比較して、新鮮味や面白味を感じさせることを期待できる。
【０１３０】
ここで、図９との対応部分に同一符号を付した図２０に示すように、例えばユーザがダイヤル操作によりコンテンツＡ、Ｂ、Ｃ、Ｂ、Ｃ、Ｄの順序で切り換えた場合を想定する。
【０１３１】
この場合、オーディオ装置１の制御部２０は、コンテンツＢを２回目に再生する際、１回目の再生を終了した再生経過時間ｔｍ３２からコンテンツＣを再生していた時間（Δｔ６に相当する）だけ経過した再生経過時間ｔｍ３３から再生する。
【０１３２】
このためオーディオ装置１の制御部２０は、ユーザに対して、あたかもオーディオ装置１の内部でコンテンツＢやコンテンツＣ等が再生され続けており、そのいずれの音声を聴取するかを選択しているかのような感覚、換言すれば、複数の音楽コンテンツＳＣが並列的に再生されており、その内容を聴きながら選曲しているかような感覚を与えることができる。
【０１３３】
そのうえオーディオ装置１の制御部２０は、音楽コンテンツＳＣが発売年月日順に整列された状態で認識しているため、ユーザのダイヤル操作により、流行した時代が比較的近い音楽コンテンツＳＣ同士を切り替えることになる。特にオーディオ装置１は、ユーザにより連続したダイヤル操作を受け付けた場合、ある時代に流行した音楽コンテンツＳＣをそれぞれ途中部分から順次切り換えて再生することになり、あたかも当時のラジオ局を選局するかのような感覚をユーザに与えることができる。
【０１３４】
またオーディオ装置１の制御部２０は、更新後の選択コンテンツＳＣの総演奏時間Ｔｓが更新前の選択コンテンツＳＣにおける再生経過時間ｔｍよりも短かった場合、総再生時間Ｔｓを再生経過時間ｔｍにより除算した際の余りを新たな再生経過時間ｔｍとするため、例えば更新後の選択コンテンツＳＣの総演奏時間Ｔｓが短いために突然無音になってしまうといった問題の発生を未然に防ぐことができ、変更前後における選択コンテンツＳＣの総再生時間Ｔｓの長短に拘わらず、選択された音楽コンテンツＭＣを様々な部分から再生することができる。
【０１３５】
さらにオーディオ装置１の制御部２０は、再生する音楽コンテンツＭＣの切換時に再生音量レベルを制御してフェードアウト及びフェードインを行うことにより、再生音量レベルの急激な変化を抑えることができ、ユーザに不快感を与える可能性を格段に低減することができる。
【０１３６】
そのうえオーディオ装置１の制御部２０は、再生する音楽コンテンツＭＣの切換時に、左右のチャンネルにおいてフェードアウト及びフェードインのタイミングを互いにタイミング差ｔｓだけずらすことにより、スクロールするサムネイル画像ＳＧと連動して音像が移動するかのような印象を与えることができ、エンターテインメント性を高めることができる。
【０１３７】
以上の構成によれば、第１の実施の形態によるオーディオ装置１の制御部２０は、ユーザの選択ダイヤル１１に対するダイヤル操作に応じて、選択コンテンツＳＣを変更すると共に変更後の選択コンテンツＳＣを再生する際、変更前の選択コンテンツＳＣにおける再生経過時間ｔｍを引き継ぎ、変更後の選択コンテンツＳＣを先頭からではなく当該再生経過時間ｔｍから再生することにより、選択コンテンツＳＣを様々な再生経過時間ｔｍから再生してユーザに各選択コンテンツＳＣの様々な部分から聴き始めさせることができる。
【０１３８】
（２）第２の実施の形態
（２−１）オーディオ装置の構成
第２の実施の形態におけるオーディオ装置５０は、図１〜図４に示したオーディオ装置１と同等の構成を有しているため、その説明は省略する。因みにオーディオ装置５０は、第１の実施の形態における制御部２０と対応する制御部５１によって全体を統括制御するようになされている。
【０１３９】
またオーディオ装置５０は、オーディオ装置１と同様、図５〜７に示したフロントパネル７を有しており、音楽コンテンツＭＣのサムネイル画像ＳＧをコンテンツ表示部８に表示するようになされている。
【０１４０】
実際上、第２の実施の形態におけるオーディオ装置５０は、第１の実施の形態におけるオーディオ装置１と異なる手法によって音楽コンテンツＭＣを再生するようになされているため、以下この点について説明する。
【０１４１】
（２−２）コンテンツの再生
（２−２−１）コンテンツ再生の基本原理
【０１４２】
第２の実施の形態におけるオーディオ装置５０の制御部５１は、第１の実施の形態におけるオーディオ装置１の制御部２０と同様、ユーザの選択ダイヤル１１に対するダイヤル操作に応じて選択コンテンツＳＣが変更された場合、ダイヤル操作の終了後に、それまで再生していた音楽コンテンツＭＣ（すなわち以前の選択コンテンツＳＣ）の再生を停止すると共に変更後の選択コンテンツＳＣの再生を開始するようになされている。
【０１４３】
このときオーディオ装置５０の制御部５１は、変更後の選択コンテンツＳＣを毎回先頭部分から再生しない点では第１の実施の形態と同様であるものの、第１の実施の形態とは異なり、変更前の選択コンテンツＳＣにおける、総再生時間Ｔｓに対する再生経過時間ｔｍの割合（以下、これを経過割合ｐｒと呼ぶ）を変更後の選択コンテンツＳＣに引き継ぐようになされている。
【０１４４】
例えば図２１（Ａ）に示すように、オーディオ装置５０においてコンテンツＡを再生経過時間ｔｍ４１まで再生した時点で、ユーザの選択ダイヤル１１に対するダイヤル操作により選択コンテンツＳＣがコンテンツＡからコンテンツＢに変更された場合を想定する。
【０１４５】
この場合、オーディオ装置５０の制御部５１は、図２１（Ａ）及び（Ｂ）に示すように、まずコンテンツＡの総再生時間Ｔｓ４２に対する再生経過時間ｔｍ４１の割合である経過割合ｐｒを算出する。
【０１４６】
次に制御部５１は、図２１（Ｃ）及び（Ｄ）に示すように、コンテンツＢにおける経過割合ｐｒに相当する再生経過時間ｔｍ５１を算出する。続いて制御部５１は、図２１（Ｅ）に示すように、再生中のコンテンツＡを再生経過時間ｔｍ４１で停止すると共にコンテンツＢを再生経過時間ｔｍ５１から再生する。
【０１４７】
ちなみに制御部５１は、コンテンツＢの再生時間、すなわちコンテンツＢの総再生時間Ｔｓと再生経過時間ｔｍ５１との差分が所定の閾値ＴＨよりも短い場合、当該コンテンツＢを再生経過時間ｔｍ５１からではなく先頭（すなわち再生経過時間ｔｍ５０）から再生することにより、ユーザが当該コンテンツＢのうちあまり興味がない後奏部分のみを聴かされるといったことを回避し得るようになされている。
【０１４８】
このようにオーディオ装置５０の制御部５１は、変更前の選択コンテンツＳＣにおける再生経過時間ｔｍ及び総再生時間Ｔｓを基に経過割合ｐｒを算出し、当該経過割合ｐｒに相当する再生位置から変更後の選択コンテンツＳＣを再生することにより、選択コンテンツＳＣの変更時に経過割合ｐｒを引き継ぐことができる。
【０１４９】
（２−２−２）コンテンツ再生処理手順
次に、オーディオ装置５０の制御部５１が新たな選択コンテンツＳＣを再生する際の選択コンテンツ再生処理手順ＳＲＴ２について、図２２のフローチャートを用いて説明する。
【０１５０】
実際上、制御部５１は、第１の実施の形態における選択コンテンツ変更処理手順ＲＴ１（図１２）の場合と同様、選択コンテンツ変更処理手順ＲＴ１（図１１）の実行中にサブルーチンとして選択コンテンツ再生処理手順ＳＲＴ２を開始し、ステップＳＰ２１へ移る。ステップＳＰ２１において制御部５１は、現在再生中の（すなわち直前の選択コンテンツＳＣの）再生経過時間ｔｍ１を総再生時間Ｔｓ１で除算することにより経過割合ｐｒを算出し、次のステップＳＰ２２へ移る。
【０１５１】
ステップＳＰ２２において制御部５１は、変更後の選択コンテンツＳＣの総再生時間Ｔｓ２に経過割合ｐｒを乗算することにより、当該変更後の選択コンテンツＳＣにおける経過割合ｐｒに対応する再生経過時間ｔｍ２を算出し、次のステップＳＰ２３へ移る。
【０１５２】
ステップＳＰ２３において制御部５１は、変更後の選択コンテンツＳＣにおける総再生時間Ｔｓと再生経過時間ｔｍ２との差分値が閾値ＴＨよりも大きいか否かを判定する。ここで肯定結果が得られると、このことは変更後の選択コンテンツＳＣの再生時間が充分に長いことを表しており、このとき制御部５１は次のステップＳＰ２５へ移る。
【０１５３】
一方ステップＳＰ２３において否定結果が得られると、このことは変更後の選択コンテンツＳＣの再生時間が極めて短く、当該変更後の選択コンテンツＳＣのうちユーザがあまり興味を示さない末尾部分のみを再生する恐れがあることを表しており、このとき制御部５１は次のステップＳＰ２４へ移る。
【０１５４】
ステップＳＰ２４において制御部５１は、再生経過時間ｔｍ２を０とすることにより、新たな選択コンテンツＳＣを先頭部分から再生するようにし、次のステップＳＰ２５へ移る。
【０１５５】
ステップＳＰ２５において制御部５１は、変更後の選択コンテンツＳＣを再生経過時間ｔｍ２から再生し、次のステップＳＰ２６へ移ってこのコンテンツ再生処理手順ＳＲＴ２を終了し、元の選択コンテンツ変更処理手順ＲＴ１（図１１）へ戻る。
【０１５６】
（２−３）動作及び効果
以上の構成において、第２の実施の形態によるオーディオ装置５０の制御部５１は、第１の実施の形態によるオーディオ装置１と同様、ユーザの選択ダイヤル１１に対するダイヤル操作に応じて、選択コンテンツＳＣを変更すると共に変更後の選択コンテンツＳＣを再生する。
【０１５７】
このときオーディオ装置５０の制御部５１は、変更前の選択コンテンツＳＣにおける経過割合ｐｒを引き継ぎ、変更後の選択コンテンツＳＣを先頭からではなく当該経過割合ｐｒに応じた再生経過時間ｔｍから再生する。
【０１５８】
従ってオーディオ装置５０の制御部５１は、第１の実施の形態と同様に、選択コンテンツＳＣを様々な再生位置から再生することができるため、ユーザに各選択コンテンツＳＣの様々な部分から聴き始めさせることができ、各選択コンテンツＳＣを毎回先頭部分から再生する場合と比較して、新鮮味や面白味を感じさせることを期待できる。
【０１５９】
また制御部５１は、変更後の選択コンテンツＳＣにおける再生時間が所定の閾値ＴＨよりも短い場合、当該変更後の選択コンテンツＳＣを経過割合ｐｒに応じた再生経過時間ｔｍからではなく先頭から再生することにより、ユーザが当該変更後の選択コンテンツＳＣのうちあまり興味がない後奏部分のみを聴かされるといったことを回避することができる。
【０１６０】
以上の構成によれば、第２の実施の形態によるオーディオ装置５０の制御部５１は、ユーザの選択ダイヤル１１に対するダイヤル操作に応じて、選択コンテンツＳＣを変更すると共に変更後の選択コンテンツＳＣを再生する際、変更前の選択コンテンツＳＣにおける経過割合ｐｒを引き継ぎ、変更後の選択コンテンツＳＣを先頭からではなく当該経過割合ｐｒに応じた再生経過時間ｔｍから再生することにより、選択コンテンツＳＣを様々な再生経過時間ｔｍから再生してユーザに各選択コンテンツＳＣの様々な部分から聴き始めさせることができる。
【０１６１】
（３）他の実施の形態
なお上述した実施の形態においては、変更前の選択コンテンツＳＣにおける再生経過状態として、再生経過時間ｔｍ又は経過割合ｐｒを変更後の選択コンテンツＳＣに引き継ぐようにした場合について述べたが、本発明はこれに限らず、例えば各音楽コンテンツＭＣをいわゆる「イントロ」、「Ａメロ」、「Ｂメロ」、「サビ」及び「エンディング」等の一般的な構成部分にそれぞれ分解しておき、変更前の選択コンテンツＳＣにおける構成部分を判別して当該構成部分を引き継いだ再生位置から変更後の選択コンテンツＳＣを再生する等、種々の再生経過状態を引き継ぐようにしても良い。
【０１６２】
また上述した第１の実施の形態においては、更新後の選択コンテンツＳＣの総演奏時間Ｔｓが更新前の選択コンテンツＳＣにおける再生経過時間ｔｍよりも短かった場合、総再生時間Ｔｓを再生経過時間ｔｍにより除算した際の余りを新たな再生経過時間ｔｍとするようにした場合について述べたが、本発明はこれに限らず、例えば更新後の選択コンテンツＳＣの総演奏時間Ｔｓが更新前の選択コンテンツＳＣにおける再生経過時間ｔｍよりも短かった場合、新たな再生経過時間ｔｍを一律に０（すなわち先頭）とし、又は新たな再生経過時間ｔｍを更新後の選択コンテンツＳＣの総演奏時間Ｔｓ内のランダムな再生位置とする等しても良い。
【０１６３】
さらに上述した第２の実施の形態においては、変更後の選択コンテンツＳＣにおける再生時間が所定の閾値ＴＨよりも短い場合、当該変更後の選択コンテンツＳＣを経過割合ｐｒに応じた再生経過時間ｔｍからではなく先頭から再生するようにした場合について述べたが、本発明はこれに限らず、例えば変更後の選択コンテンツＳＣにおける再生時間の長短にかかわらず、一律して経過割合ｐｒを引き継ぐようにしても良く、或いは当該経過割合ｐｒを引き継ぐか否かをユーザに予め設定させるようにしても良い。
【０１６４】
また上述した実施の形態においては、選択コンテンツＳＣの変更に伴い再生する音楽コンテンツＭＣを変更する際に、変更前の音楽コンテンツＭＣをフェードアウトさせると共に変更後の音楽コンテンツＭＣをフェードインさせるようにした場合について述べたが、本発明はこれに限らず、例えば変更前の音楽コンテンツＭＣをフェードアウトさせる部分の音声と変更後の音楽コンテンツＭＣをフェードインさせる部分の音声とを重ねる、いわゆるクロスフェードを行うようにし、或いはフェードアウト及びフェードインの少なくとも一方を行わないようにしても良い。
【０１６５】
さらに上述した実施の形態においては、左右両チャンネルにおける音楽コンテンツＭＣの再生音量レベルを制御することにより、当該音楽コンテンツＭＣの音像がサムネイル画像ＳＧのスクロールと連動して移動するような印象をユーザに与えるようにした場合について述べたが、本発明はこれに限らず、例えば敢えてサムネイル画像ＳＧのスクロールと連動せずに移動するような印象をユーザに与えるように左右両チャンネルにおける音楽コンテンツＭＣの再生音量レベルを制御し、又は左右両チャンネルにおける音楽コンテンツＭＣの再生音量レベルを揃えることによりその音像を常にほぼ中央に定位させるようにし、或いは左右両チャンネルにおける音楽コンテンツＭＣの位相を制御してその音像位置を変化させるようにする等しても良い。
【０１６６】
さらに上述した実施の形態においては、ユーザに選択ダイヤル１１を回転操作させることにより選択コンテンツＳＣを変更するようにした場合について述べたが、本発明はこれに限らず、例えば操作ボタン群９の各ボタンと同様のプッシュ式でなる左右方向の選択ボタンによりユーザに選択コンテンツＳＣの変更操作を行わせるようにし、或いはタッチパッドを設けてユーザに当該タッチパッド上で指先をすべらせることにより選択コンテンツＳＣの変更操作を行わせるようにしても良い。
【０１６７】
さらに上述した実施の形態においては、ユーザの操作指示に応じて再生すべき音楽コンテンツＭＣを変更するオーディオ装置１に本発明を適用するようにした場合について述べたが、本発明はこれに限らず、例えばハードディスクドライブにビデオコンテンツを格納し、ユーザの操作指示に応じて再生すべきビデオコンテンツを変更するビデオ装置に本発明を適用するようにしても良い。
【０１６８】
さらに上述した実施の形態においては、ハードウェア構成でなるオーディオ装置１に本発明を適用するようにした場合について述べたが、本発明はこれに限らず、例えばパーソナルコンピュータや携帯電話機等の音楽再生機能及び表示機能を有する電子機器においてコンテンツ再生プログラム等を実行することにより、ユーザの操作指示に応じて再生すべき音楽コンテンツＭＣを変更するようにしても良い。この場合、所定のキー操作やマウスによる操作を音楽コンテンツＭＣの変更操作として受け付けるようにすれば良い。
【０１６９】
また、コンテンツ再生プログラム等の格納媒体としては、制御部２０のＲＯＭ２０Ｂやハードディスクドライブ２２等に予め記憶させておく他、光ディスク４や小型メモリーカード６等の外部記憶媒体からハードディスクドライブ２２にインストールするようにしても良い。また、コンテンツ再生プログラム等をＵＳＢ（Universal Serial Bus）やＥｔｈｅｒｎｅｔ（登録商標）等の有線方式の通信ケーブル、或いはＩＥＥＥ（Institute of Electrical and Electronics Engineers）８０２．１１ａ／ｂ／ｇ等の無線ＬＡＮ（Local Area Network）を介して外部から取得するようにしても良い。
【０１７０】
さらに上述した実施の形態においては、選択手段としての操作入力部２７及び再生制御部２０Ｄと、認識手段としての再生制御部２０Ｄと、再生手段としての音声再生部２８とによって音楽コンテンツ再生装置としてのオーディオ装置１を構成する場合について述べたが、本発明はこれに限らず、その他種々の回路構成でなる選択手段と、認識手段と、再生手段とによって音楽コンテンツ再生装置を構成するようにしても良い。
【産業上の利用可能性】
【０１７１】
本発明は、複数の音楽コンテンツ中から所望の音楽コンテンツを選択して再生する種々のコンテンツ再生装置でも利用できる。
【図面の簡単な説明】
【０１７２】
【図１】オーディオ装置の外観構成を示す略線的斜視図である。
【図２】オーディオ装置の回路構成を示す略線的ブロック図である。
【図３】オーディオ装置の機能構成を示す略線的ブロック図である。
【図４】データ管理テーブルの構成を示す略線図である。
【図５】全曲表示モードにおけるフロントパネルの表示内容を示す略線図である。
【図６】フォーカス枠の構成を示す略線図である。
【図７】音楽コンテンツの選択表示の説明に供する略線図である。
【図８】コンテンツの選択及び再生タイミングの説明に供する略線図である。
【図９】低速変更モードにおけるコンテンツの再生の説明に供する略線図である。
【図１０】低速変更モードにおけるコンテンツの再生の説明に供する略線図である。
【図１１】選択コンテンツ変更処理手順を示すフローチャートである。
【図１２】第１の実施の形態による選択コンテンツ再生処理手順を示すフローチャートである。
【図１３】サムネイル画像のスクロールの様子を示す略線図である。
【図１４】コンテンツ変更時の再生音量レベルの説明に供する略線図である。
【図１５】時刻ｔ３１における音量レベル及び音像定位の説明に供する略線図である。
【図１６】時刻ｔ３２における音量レベル及び音像定位の説明に供する略線図である。
【図１７】時刻ｔ３４における音量レベル及び音像定位の説明に供する略線図である。
【図１８】時刻ｔ３６における音量レベル及び音像定位の説明に供する略線図である。
【図１９】時刻ｔ３７における音量レベル及び音像定位の説明に供する略線図である。
【図２０】低速選択時におけるコンテンツの再生（２）を示す略線図である。
【図２１】第２の実施の形態によるコンテンツの再生の説明に供する略線図である。
【図２２】第２の実施の形態による選択コンテンツ再生処理手順を示すフローチャートである。
【符号の説明】
【０１７３】
１、５０……オーディオ装置、８……コンテンツ表示部、９……操作ボタン群、１１……選択ダイヤル、２０、５１……制御部、２０Ｄ……再生制御部、２２……ハードディスクドライブ、２２Ａ……コンテンツ蓄積部、２２Ｂ……コンテンツメタデータ蓄積部、２６……画像表示部、２７……操作入力部、２７Ａ……入力インタフェース、２８……音声再生部。
【図１】
2007200374.tif 000003
【図２】
2007200374.tif 000004
【図３】
2007200374.tif 000005
【図４】
2007200374.tif 000006
【図８】
2007200374.tif 000007
【図９】
2007200374.tif 000008
【図１０】
2007200374.tif 000009
【図１１】
2007200374.tif 000010
【図１２】
2007200374.tif 000011
【図１３】
2007200374.tif 000012
【図１４】
2007200374.tif 000013
【図１５】
2007200374.tif 000014
【図１６】
2007200374.tif 000015
【図１７】
2007200374.tif 000016
【図１８】
2007200374.tif 000017
【図１９】
2007200374.tif 000018
【図２０】
2007200374.tif 000019
【図２１】
2007200374.tif 000020
【図２２】
2007200374.tif 000021
【図５】
2007200374.tif 000022
【図６】
2007200374.tif 000023
【図７】
2007200374.tif 000024
【手続補正書】
【提出日】平成19年3月27日(2007.3.27)
【手続補正１】
【補正対象書類名】明細書
【補正対象項目名】０００１
【補正方法】変更
【補正の内容】
【０００１】
本発明はコンテンツ再生装置、コンテンツ再生方法及びコンテンツ再生プログラムに関し、例えば大量の音楽コンテンツの中からユーザが所望する音楽コンテンツを検索するためのユーザインタフェースを提供する場合に適用して好適なものである。
【手続補正２】
【補正対象書類名】明細書
【補正対象項目名】００３０
【補正方法】変更
【補正の内容】
【００３０】
オーディオコントローラ２９は、ハードディスクドライブ２２から読み出された音楽コンテンツＭＣをバス２１経由で取得し、当該音楽コンテンツＭＣのエンコード方式に対応したデコード処理やＤ／Ａ（Digital/Analog）変換処理等を行うことにより再生信号ＳＡを生成する。続いてオーディオコントローラ２９は、再生信号ＳＡをアンプ３０により増幅させスピーカ３１へ送出することにより、当該スピーカ３１から当該再生信号に基づいた音を出力させるようになされている。
【手続補正３】
【補正対象書類名】明細書
【補正対象項目名】００５３
【補正方法】変更
【補正の内容】
【００５３】
これによりオーディオ装置１の制御部２０は、コンテンツ表示部８のフォーカス枠ＦＣ１によって選択されるサムネイル画像ＳＧを１コマ分だけずらして表示すると共に、それに合わせてフォーカス枠ＦＣ２によって囲まれる５個のコンテンツアイコンＣＡについても１個分だけずらして表示するようになされている。
【手続補正４】
【補正対象書類名】明細書
【補正対象項目名】００９６
【補正方法】変更
【補正の内容】
【００９６】
同様にオーディオ装置１の制御部２０は、選択コンテンツＳＣが変更されたことにより、時刻ｔ１４においてコンテンツＢを再生経過時間ｔｍ１２で停止すると共に（図９（Ｄ））コンテンツＣを再生経過時間ｔｍ１２から再生し（図９（Ｅ））、さらに選択コンテンツＳＣが変更されたことにより、時刻ｔ１６においてコンテンツＣを再生経過時間ｔｍ１３で停止すると共に（図９（Ｅ））コンテンツＤを再生経過時間ｔｍ１３から再生する（図９（Ｆ））。
【手続補正５】
【補正対象書類名】明細書
【補正対象項目名】０１３２
【補正方法】変更
【補正の内容】
【０１３２】
このためオーディオ装置１の制御部２０は、ユーザに対して、あたかもオーディオ装置１の内部でコンテンツＢやコンテンツＣ等が再生され続けており、そのいずれの音声を聴取するかを選択しているかのような感覚、換言すれば、複数の音楽コンテンツＳＣが並列的に再生されており、その内容を聴きながら選曲しているかのような感覚を与えることができる。
【手続補正６】
【補正対象書類名】明細書
【補正対象項目名】０１５０
【補正方法】変更
【補正の内容】
【０１５０】
実際上、制御部５１は、第１の実施の形態における選択コンテンツ変更処理手順ＲＴ１（図１１）の場合と同様、選択コンテンツ変更処理手順ＲＴ１の実行中にサブルーチンとして選択コンテンツ再生処理手順ＳＲＴ２を開始し、ステップＳＰ２１へ移る。ステップＳＰ２１において制御部５１は、現在再生中の（すなわち直前の選択コンテンツＳＣの）再生経過時間ｔｍ１を総再生時間Ｔｓ１で除算することにより経過割合ｐｒを算出し、次のステップＳＰ２２へ移る。
【手続補正７】
【補正対象書類名】明細書
【補正対象項目名】０１７２
【補正方法】変更
【補正の内容】
【０１７２】
【図１】オーディオ装置の外観構成を示す略線的斜視図である。
【図２】オーディオ装置の回路構成を示す略線的ブロック図である。
【図３】オーディオ装置の機能構成を示す略線的ブロック図である。
【図４】データ管理テーブルの構成を示す略線図である。
【図５】全曲表示モードにおけるフロントパネルの表示内容を示す略線図である。
【図６】フォーカス枠の構成を示す略線図である。
【図７】音楽コンテンツの選択表示の説明に供する略線図である。
【図８】コンテンツの選択及び再生タイミングの説明に供する略線図である。
【図９】低速変更モードにおけるコンテンツの再生の説明に供する略線図である。
【図１０】高速変更モードにおけるコンテンツの再生の説明に供する略線図である。
【図１１】選択コンテンツ変更処理手順を示すフローチャートである。
【図１２】第１の実施の形態による選択コンテンツ再生処理手順を示すフローチャートである。
【図１３】サムネイル画像のスクロールの様子を示す略線図である。
【図１４】コンテンツ変更時の再生音量レベルの説明に供する略線図である。
【図１５】時刻ｔ３１における音量レベル及び音像定位の説明に供する略線図である。
【図１６】時刻ｔ３２における音量レベル及び音像定位の説明に供する略線図である。
【図１７】時刻ｔ３４における音量レベル及び音像定位の説明に供する略線図である。
【図１８】時刻ｔ３６における音量レベル及び音像定位の説明に供する略線図である。
【図１９】時刻ｔ３７における音量レベル及び音像定位の説明に供する略線図である。
【図２０】低速選択時におけるコンテンツの再生（２）を示す略線図である。
【図２１】第２の実施の形態によるコンテンツの再生の説明に供する略線図である。
【図２２】第２の実施の形態による選択コンテンツ再生処理手順を示すフローチャートである。
【手続補正８】
【補正対象書類名】図面
【補正対象項目名】図９
【補正方法】変更
【補正の内容】
【図９】
2007200374.tif 000025